(57)【要約】【課題】テレビジョン受像機において、明るさ等を自動的に調整する機能を低コストで実現し、かつユーザが部屋の明るさと画面の明るさを関係付けた制御データを好みに応じて容易に変更できるようにする。【解決手段】部屋の安全を監視するためのＣＣＤカメラを使用して部屋の明るさを検知して、明るさ自動制御マップ４０を参照することにより、明るさ等を自動的に調整する。これにより、新たにカメラや画像処理部を追加する必要がなくなるので、テレビジョン受像機を低コストに製造することができるようになる。また、明るさ自動制御マップの制御データをシフトさせる第１のマップデータ変更モードと、明るさ自動制御マップ４０の制御データを再定義する第２のマップデータ変更モードとによって、ユーザが好みに応じて明るさ自動制御マップの制御データを容易に変更できるようにする。【選択図】図４
2006157380.tif 000002
【特許請求の範囲】
【請求項１】
テレビジョン放送信号を受信するチューナと、このチューナによって受信された放送信号を処理して映像信号及び音声信号に分離する映像音声信号処理手段と、この映像音声信号処理手段によって分離された映像信号及び映像信号を出力する映像音声出力手段と、この映像音声出力手段の周辺を撮像して電気的な画像信号に変換する撮像手段と、前記撮像手段によって撮像された画像信号を記憶する記憶手段と、この記憶手段によって記憶された画像信号をインターネットを介してサーバにアップロードする通信処理手段と、上記各部を制御する制御手段と、各種の指令信号を送信するための指令送信手段と、この指令送信手段によって送信された指令信号を受信して前記制御手段に転送する指令受信部とを有するテレビジョン受像機において、
前記記憶手段は、部屋の明るさと、それに応じた最適な画面の明るさ及び／又は音量とを関係付けた明るさ／音量自動制御マップを記憶し、
前記制御手段は、
前記撮像手段によって撮像された画像信号から部屋の明るさを算出し、前記記憶手段が記憶している明るさ／音量自動制御マップに基いて、映像音声出力手段を制御して明るさ及び／又は音量を調整し、
前記指令送信手段から送信された第１の指令信号に応じて、前記記憶手段が記憶している明るさ／音量自動制御マップの制御データを、部屋の明るさが増減する方向又は画面の明るさ及び／又は音量が増減する方向にシフトさせることにより、明るさ／音量自動制御マップの制御データを変更する第１のマップデータ変更モードと、
前記指令送信手段から送信された第２の指令信号に応じて前記記憶手段が記憶している明るさ／音量自動制御マップの制御データを３つの主要点によって再定義することにより、マップの制御データを任意に変更する第２のマップデータ変更モードとを有し、
部屋の明るさが変化したときに画面の明るさ及び／又は音量を調整するために参照する明るさ／音量自動制御マップの制御データを、ユーザが容易かつ任意に変更できるようにしたことを特徴とするテレビジョン受像機。
【請求項２】
テレビジョン放送信号を受信するチューナと、このチューナによって受信された放送信号を処理して映像信号及び音声信号に分離する映像音声信号処理手段と、この映像音声信号処理手段によって分離された映像信号及び映像信号を出力する映像音声出力手段と、この映像音声出力手段の周辺を撮像して電気的な画像信号に変換する撮像手段と、前記撮像手段によって撮像された画像信号を記憶する記憶手段と、この記憶手段によって記憶された画像信号をインターネットを介してサーバにアップロードする通信処理手段と、上記各部を制御する制御手段と、各種の指令信号を送信するための指令送信手段と、この指令送信手段によって送信された指令信号を受信して前記制御手段に転送する指令受信部とを有するテレビジョン受像機において、
前記記憶手段は、部屋の明るさと、それに応じた最適な画面の明るさ及び／又は音量とを関係付けた明るさ／音量自動制御マップを記憶し、
前記制御手段は、前記撮像手段によって撮像された画像信号から部屋の明るさを算出し、前記記憶手段が記憶している明るさ／音量自動制御マップに基いて、映像音声出力手段を制御して明るさ及び／又は音量を調整することを特徴とするテレビジョン受像機。
【請求項３】
前記指令送信手段によって画面の明るさ及び／又は音量を変更する指令信号が送信されたとき、前記制御手段は、映像音声出力手段を制御して明るさ及び／又は音量を調整すると共に、該指令信号に基いて、前記記憶手段が記憶している明るさ／音量自動制御マップの制御データをシフトさせることにより、明るさ／音量自動制御マップの制御データを変更することを特徴とする請求項２に記載のテレビジョン受像機。
【請求項４】
前記制御手段は、部屋の明るさが所定の閾値以下となったとき、直ちに又は所定時間経過後に、テレビジョン受像機の電源を遮断することを特徴とする請求項２に記載のテレビジョン受像機。
【発明の詳細な説明】
【技術分野】
【０００１】
本発明は、明るさ及び／又は音量を自動的に調整する機能を有するテレビジョン受像機に関するものである。
【背景技術】
【０００２】
従来から、天井又は壁などに設置されたカメラで室内の人の有無、明るさ等を監視して、それに基いてテレビジョン受像機等を制御する制御システムが知られている（例えば、特許文献１参照）。しかしながら、このような制御システムは、カメラ及びカメラによって撮像された画像を処理するための制御装置が別途必要となりシステム全体のコストが嵩むため、広く普及するには至っていない。また、予め定められたアルゴリズムに基いてテレビジョン受像機等が制御されるため、ユーザが、部屋の明るさと画面の明るさとの関係を好みに応じて自由に変更することができないという問題もある。
【０００３】
なお、特許文献２には、複数のセンサによって取得されたデータに基いて柔軟にイベントを検出し、消費電力の低減を図った情報処理システムが示されている。また、特許文献３には、赤外線通信により制御ができる機器をホームネットワークに制御できるようにする信号変換装置が示されている。
【特許文献１】特開平７−２７１４２６号公報
【特許文献２】特開２００４−１４０６２３号公報
【特許文献２】特開２００４−１８０２６０号公報
【発明の開示】
【発明が解決しようとする課題】
【０００４】
本発明は、上記課題を解決するためになされたものであり、明るさ及び／又は音量を自動的に調整する機能を備え、かつユーザが部屋の明るさと画面の明るさとの関係を好みに応じて容易に変更できるテレビジョン受像機を低コストで提供することを目的とする。
【課題を解決するための手段】
【０００５】
上記目的を達成するために請求項１の発明は、テレビジョン放送信号を受信するチューナと、このチューナによって受信された放送信号を処理して映像信号及び音声信号に分離する映像音声信号処理手段と、この映像音声信号処理手段によって分離された映像信号及び映像信号を出力する映像音声出力手段と、この映像音声出力手段の周辺を撮像して電気的な画像信号に変換する撮像手段と、撮像手段によって撮像された画像信号を記憶する記憶手段と、この記憶手段によって記憶された画像信号をインターネットを介してサーバにアップロードする通信処理手段と、上記各部を制御する制御手段と、各種の指令信号を送信するための指令送信手段と、この指令送信手段によって送信された指令信号を受信して制御手段に転送する指令受信部とを有するテレビジョン受像機において、記憶手段は、部屋の明るさと、それに応じた最適な画面の明るさ及び／又は音量とを関係付けた明るさ／音量自動制御マップを記憶し、制御手段は、撮像手段によって撮像された画像信号から部屋の明るさを算出し、記憶手段が記憶している明るさ／音量自動制御マップに基いて、映像音声出力手段を制御して明るさ及び／又は音量を調整し、指令送信手段から送信された第１の指令信号に応じて、記憶手段が記憶している明るさ／音量自動制御マップの制御データを、部屋の明るさが増減する方向又は画面の明るさ及び／又は音量が増減する方向にシフトさせることにより、明るさ／音量自動制御マップの制御データを変更する第１のマップデータ変更モードと、指令送信手段から送信された第２の指令信号に応じて記憶手段が記憶している明るさ／音量自動制御マップの制御データを３つの主要点によって再定義することにより、マップの制御データを任意に変更する第２のマップデータ変更モードとを有し、部屋の明るさが変化したときに画面の明るさ及び／又は音量を調整するために参照する明るさ／音量自動制御マップの制御データを、ユーザが容易かつ任意に変更できるようにしたものである。
【０００６】
請求項２の発明は、テレビジョン放送信号を受信するチューナと、このチューナによって受信された放送信号を処理して映像信号及び音声信号に分離する映像音声信号処理手段と、この映像音声信号処理手段によって分離された映像信号及び映像信号を出力する映像音声出力手段と、この映像音声出力手段の周辺を撮像して電気的な画像信号に変換する撮像手段と、撮像手段によって撮像された画像信号を記憶する記憶手段と、この記憶手段によって記憶された画像信号をインターネットを介してサーバにアップロードする通信処理手段と、上記各部を制御する制御手段と、各種の指令信号を送信するための指令送信手段と、この指令送信手段によって送信された指令信号を受信して制御手段に転送する指令受信部とを有するテレビジョン受像機において、記憶手段は、部屋の明るさと、それに応じた最適な画面の明るさ及び／又は音量とを関係付けた明るさ／音量自動制御マップを記憶し、制御手段は、撮像手段によって撮像された画像信号から部屋の明るさを算出し、記憶手段が記憶している明るさ／音量自動制御マップに基いて、映像音声出力手段を制御して明るさ及び／又は音量を調整するものである。
【０００７】
請求項３の発明は、請求項２に記載のテレビジョン受像機において、指令送信手段によって画面の明るさ及び／又は音量を変更する指令信号が送信されたとき、制御手段は、映像音声出力手段を制御して明るさ及び／又は音量を調整すると共に、該指令信号に基いて、記憶手段が記憶している明るさ／音量自動制御マップの制御データをシフトさせることにより、明るさ／音量自動制御マップの制御データを変更するものである。
【０００８】
請求項４の発明は、請求項２に記載のテレビジョン受像機において、制御手段は、部屋の明るさが所定の閾値以下となったとき、直ちに又は所定時間経過後に、テレビジョン受像機の電源を遮断するものである。
【発明の効果】
【０００９】
請求項１の発明によれば、部屋の安全を監視するための撮像手段を使用して部屋の明るさを検知し、記憶手段に記憶させている明るさ／音量自動制御マップを参照することにより、明るさ及び／又は音量を自動的に調整する。従って、新たに撮像手段や画像処理手段を別途追加する必要がなくなるので、明るさ及び／又は音量を自動的に調整する機能を有するテレビジョン受像機を低コストに製造することができるようになる。また、指令送信手段から送信された第１の指令信号に応じて、明るさ／音量自動制御マップの制御データを部屋の明るさが増減する方向等にシフトさせる第１のマップデータ変更モードと、指令送信手段から送信された第２の指令信号に応じて、明るさ／音量自動制御マップの制御データを再定義する第２のマップデータ変更モードとを有しているので、ユーザが好みに応じて明るさ／音量自動制御マップの制御データを容易かつ任意に変更できるようになる。
【００１０】
請求項２の発明によれば、部屋の安全を監視するための撮像手段を使用して部屋の明るさを検知し、記憶手段に記憶させている明るさ／音量自動制御マップを参照することにより、明るさ及び／又は音量を自動的に調整する。従って、新たに撮像手段や画像処理手段を追加する必要がなくなるので、明るさ及び／又は音量を自動的に調整する機能を有するテレビジョン受像機を低コストに製造することができるようになる。
【００１１】
請求項３の発明によれば、ユーザが番組等を視聴中に指令送信手段から送信された指令信号に応じて、明るさ及び／又は音量を調整すると共に、明るさ／音量自動制御マップの制御データをシフトさせることにより、明るさ／音量自動制御マップの制御データを変更する。これにより、ユーザは、通常の視聴において、明るさ、音量を変更すれば、その操作がその後の明るさ／音量自動制御マップの制御データに反映されることになる。従って、ユーザがテレビジョン受像機を使い込むほどに、明るさ／音量自動制御マップの制御データがユーザの好みに沿うようになり、テレビジョン受像機の使い勝手が高められる。
【００１２】
請求項４の発明によれば、部屋の明るさが所定の閾値以下となったときテレビジョン受像機の電源を遮断するので、消灯時にテレビジョン受像機の電源を自動的に遮断することができる。
【発明を実施するための最良の形態】
【００１３】
本発明を実施するための最良の形態について図面を参照して説明する。図１はテレビジョン受像機の構成を示している。テレビジョン受像機１は、テレビジョン放送信号を受信するチューナ２と、チューナ２によって受信された放送信号を復調するデコーダ３と、デコーダ３によって復調された放送信号を映像信号及び音声信号に分離する映像音声信号処理部（映像音声信号処理手段）４と、映像音声信号処理部４によって分離された映像信号及び映像信号を出力する映像音声出力部（映像音声出力手段）５と映像音声出力部５の周辺を撮像して電気的な画像信号に変換するＣＣＤカメラ（撮像手段）６と、ＣＣＤカメラ６によって撮像された画像信号を記憶するメモリ（記憶手段）７と、通信処理を行う通信処理部（通信処理手段）８と、上記各部を制御するＣＰＵ（制御手段）９と、各種の指令信号を送受信を行うリモコン操作部（指令送信手段）１０と、リモコン受信部（指令受信手段）１１とを有している。
【００１４】
通信処理部８は、インターネット１２を介してサーバ１３に接続されており、常時又は必要に応じて適宜インターネット１２に接続して、メモリ７が記憶した画像信号をサーバ１３にアップロードする。ユーザは、手持ちの携帯電話機又はパーソナルコンピュータを用いてインターネット１２を介してサーバ１３にアクセスすることにより、アップロードされた画像、すなわちテレビジョン受像機１が設置されている部屋の様子を確認することができる。
【００１５】
リモコン操作部１０は、テレビジョン受像機１の電源のオン/オフを行うための電源キー、チャンネルの選択を行うための数字入力キー、映像音声出力部に表示されたメニュー項目等の選択を行うための矢印キー、選択したメニュー項目を決定するための決定キー等を有し、各キーの操作を介して入力された指令に応じた赤外線信号を出力する。リモコン操作部１０から出力された赤外線信号は、リモコン受光部１１によって受信される。
【００１６】
図２は、テレビジョン受像機１のメニュー画面の１つである明るさ音量設定画面２０を示している。この明るさ音量設定画面２０は、例えば、リモコン操作部１０のメニューキーを押下し、各種メニューの中から矢印キーを用いて明るさ音量設定の項目を選択することにより、映像音声出力部５に表示される。明るさ音量設定画面２０において、ユーザはリモコン操作部１０の矢印キー等を用いてカーソルを移動させることにより、画面の明るさ及び音量についての各項目を選択することができる。
【００１７】
例えば、ユーザによって画面の明るさのボタン２１とモード１のボタン２２が選択されて、リモコン操作部１０の決定キーが押下されたとき、図３に示すような明るさ自動制御マップ３０に関する画面が映像音声出力部５に表示される。明るさ自動制御マップ３０とは、部屋の明るさと、それに応じた最適な画面の明るさとを関係付けた制御マップであり、メモリ７に記憶されている。ＣＰＵ９は、適宜この明るさ自動制御マップ３０を参照しながら、画像音声処理部４を制御することにより、画面の明るさを自動制御する。
【００１８】
図３において、明るさ自動制御マップ３０には予め標準となる制御データ（以下、標準制御データとする）３１が設定されている。この標準制御データ３１を用いた場合、ＣＰＵ９は、消灯状態から部屋の明るさが閾値Ｌ１に達するまでは画面の明るさを一定値となるように制御し、部屋の明るさが閾値Ｌ１を超えると画面の明るさを漸増させ、その後部屋の明るさが閾値Ｌ２に達すると画面の明るさを一定値となるように制御する。これにより、テレビジョン受像機１の画面が部屋の明るさに応じて略最適な明るさに制御される。
【００１９】
ところが、ユーザによって画面の明るさの好みは微妙に相違するため、標準制御データ３１に基く制御に対して、ユーザが不満を抱く場合も少なくない。そこで、本実施の形態では、以下に示す２つのマップデータ変更モードを備え、ユーザが好みの明るさ設定に容易に変更できるようにしている。
【００２０】
上記２つのマップデータ変更モードのうち、第１のマップデータ変更モードについて図３を参照して説明する。この第１のマップデータ変更モードは、上述したように、ユーザが図２に示したメニュー画面２０においてモード１のボタン２２を選択することにより有効とされる。第１のマップデータ変更モードにおいては、ユーザがリモコン操作部１０の矢印キー等を操作することにより、明るさ自動制御マップ３０の制御データを画面の明るさが増減する方向にシフトさせることができる。例えば、制御データ３２は、ユーザがリモコン操作部１０の上方向の矢印キーを操作して、標準制御データ３１を図中上方にシフトさせたものである。また、制御データ３３は、同様に標準制御データ３１を図中下方にシフトさせたものである。このように、図３においては、明るさ自動制御マップ３０の標準制御データ３１を図中上方又は下方にシフトさせた状態を示しているが、ユーザがリモコン操作部１０の右方向又は左方向の矢印キーを操作して、右方又は左方にシフトさせることも可能である。このように、明るさ自動制御マップ３０の標準制御データ３１を適宜シフトさせることにより、ユーザは、部屋の明るさと画面の明るさとの関係を好みの設定に近づけることができる。
【００２１】
次に、第２のマップデータ変更モードについて図４を参照して説明する。この第２のマップデータ変更モードは、ユーザが図２に示したメニュー画面から、モード２のボタン２４を選択することにより有効とされる。第２のマップデータ変更モードにおいては、明るさ自動制御マップ４０の制御データ５０又は６０は、３つの主要点５１、５２、５３又は６１、６２、６３によって定義される。ユーザはリモコン操作部１０の矢印キー等を操作することにより、３つの主要点５１、５２、５３又は６１、６２、６３を任意の位置に配置することができ、任意の明るさ自動制御マップ４０の制御データ５０又は６０を任意に定義することができる。例えば、制御データ５０は、部屋の明るさの変化に対して、画面の明るさが比較的穏やかに変化する設定を示し、制御データ６０は、部屋の明るさの変化に対して、画面の明るさが比較的急激に変化する設定を示している。また、例えば、点５２を点５１及び５３の中点から外れるように移動させることにより、点５２の近傍における画面の明るさの変化を非線形にすることもできる。
【００２２】
以上、画面の明るさの自動調整機能について説明したが、音量についても、明るさ自動制御マップ３０、４０の替わりに音量自動制御マップを用いて同様に制御できる。このときＣＰＵ９が参照する音量自動制御マップの制御データは、図２のメニュー画面において、音量ボタン２３を選択することにより、図３又は図４に示した明るさ自動制御マップと同様の音量自動制御マップを表示させて変更することができる。
【００２３】
以上のように、本実施形態のテレビジョン受像機１によれば、部屋の安全を監視するためのＣＣＤカメラ６を使用して部屋の明るさを検知し、メモリ７に記憶させている明るさ／音量自動制御マップを参照することにより明るさ等を自動的に調整する。従って、新たにＣＣＤカメラや画像処理回路等を別途追加する必要がなくなるので、明るさ等を自動的に調整する機能を有するテレビジョン受像機１を低コストに製造することができるようになる。また、リモコン操作部１０から送信された第１の指令信号に応じて、明るさ／音量自動制御マップ３０の制御データを部屋の明るさが増減する方向等にシフトさせる第１のマップデータ変更モードと、リモコン操作部１０から送信された第２の指令信号に応じて、明るさ／音量自動制御マップの制御データを再定義する第２のマップデータ変更モードとを有しているので、ユーザが好みに応じて明るさ／音量自動制御マップの制御データを容易かつ任意に変更できるようになる。
【００２４】
なお、本発明は上記実施形態の構成に限られることなく種々の変形が可能であり、例えば、ユーザが番組等を視聴中にリモコン操作部１０から明るさ又は音量を変更する指令が送信された場合、これに応じて、明るさ又は音量を調整すると共に、ＣＰＵ９が明るさ／音量自動制御マップの制御データを図３に示したようにシフトさせて、明るさ／音量自動制御マップの制御データを変更するように構成してもよい。このような構成によれば、ユーザは、通常の視聴において、明るさ、音量を変更すれば、その操作がその後の明るさ／音量自動制御マップの制御データに反映されることになる。従って、ユーザがテレビジョン受像機１を使い込むほどに、明るさ／音量自動制御マップの設定がユーザの好みに沿うようになり、テレビジョン受像機１の使い勝手が高められる。
【００２５】
また、ＣＰＵ９は、部屋の明るさが所定の閾値以下となったとき、直ちに又は所定時間経過後に、テレビジョン受像機の電源を遮断するように構成してもよい。このような構成によれば消灯時にテレビジョン受像機の電源を自動的に遮断することができる。また、上記所定時間をユーザが適宜設定できるようにしても構わない。
【図面の簡単な説明】
【００２６】
【図１】本発明の一実施形態によるテレビジョン受像機の構成を示すブロック図。
【図２】同受像機における画面の明るさ及び音量の制御データを変更するモードを選択するためのメニュー画面の一例を示す図。
【図３】第１のマップデータ変更モードにおいて、明るさ自動制御マップの制御データを変更するための表示画面を示す図。
【図４】第１のマップデータ変更モードにおいて、明るさ自動制御マップの制御データを変更するための表示画面を示す図。
【符号の説明】
【００２７】
１    テレビジョン受像機
２    チューナ
４    映像音声信号処理部（映像音声信号処理手段）
５    映像音声出力部（映像音声出力手段）
６    ＣＣＤカメラ（撮像手段）
７    メモリ（記憶手段）
８    通信処理部（通信処理手段）
９    ＣＰＵ（制御手段）
１０    リモコン操作部（指令送信手段）
１１    リモコン受光部（指令受信手段）
３０、４０    明るさ自動制御マップ
【図１】
2006157380.tif 000003
【図２】
2006157380.tif 000004
【図３】
2006157380.tif 000005
【図４】
2006157380.tif 000006